(57)【要約】【目的】眼科装置の顎台、テーブル、椅子、ピント等の調整を短時間で行うことができる眼科システムを提供すること。【構成】測定手段、撮影手段又は治療手段を有する眼科装置と、周辺機器と、複数の装置から得られた又は入力された被検者の情報を保存する被検者情報保存手段と、被検者を特定する被検者特定手段と、眼科装置又は前記周辺機器と前記被検者情報保存手段及び前記被検者特定手段のうち何れか２つの手段を結ぶ通信経路と、眼科装置又は周辺機器は、該眼科装置又は該周辺機器の何れかに一体に設けられた該眼科装置又は該周辺機器の設定を変更する設定変更手段と被検者特定手段で特定された被検者の情報を通信情報経路を介して被検者情報保存手段から読み込む被検者情報読込手段とを有し、前記設定変更手段は、被検者情報読込手段の出力結果に基づいて眼科装置又は周辺機器の設定を変更する。【選択図】      図１
2005013472.tif 000002
【特許請求の範囲】
【請求項１】
被検眼を測定する測定手段、被検眼を撮影する撮影手段又は被検眼を治療する治療手段を有する眼科装置と、該眼科装置と共同して作用する周辺機器と、眼科装置と別個に設けられ、複数の装置から得られた又は入力された被検者の情報を保存する被検者情報保存手段と、被検者を特定する被検者特定手段と、眼科装置又は前記周辺機器と前記被検者情報保存手段及び前記被検者特定手段のうち何れか２つの手段を結ぶ通信経路と、眼科装置又は周辺機器は、該眼科装置又は該周辺機器の何れかに一体に設けられた該眼科装置又は該周辺機器の設定を変更する設定変更手段と被検者特定手段で特定された被検者の情報を通信情報経路を介して被検者情報保存手段から読み込む被検者情報読込手段とを有し、前記設定変更手段は、前記被検者情報読込手段の出力結果に基づいて前記眼科装置又は前記周辺機器の設定を変更することを特徴とする眼科システム。
【請求項２】
前記被検者情報読込手段が読み込む前記被検者の情報は、前記眼科装置で得られた過去測定値、過去の被検眼画像又は過去の治療歴であることを特徴とする請求項１記載の眼科システム。
【請求項３】
前記被検者情報読込手段が読み込む前記被検者の情報は、前記眼科装置以外の装置で得られた過去測定値、過去の被検眼画像又は過去の治療歴であることを特徴とする請求項１記載の眼科システム。
【請求項４】
被検者の変更を検出する被検者変更検出手段を有し、前記被検者特定手段は、前記被検者変更検出手段の出力結果に基づいて、予め決められた順番で被検者を特定することを特徴とする請求項１記載の眼科システム。
【請求項５】
前記被検者変更検出手段は、被検眼の測定、撮影又は治療が終了したことを入力するスイッチであることを特徴とする請求項４記載の眼科システム。
【請求項６】
前記被検者変更検出手段は、被検眼の測定、撮影又は治療の結果を印字又は前記被検者情報保存手段へ転送するためのスイッチであることを特徴とする請求項４記載の眼科システム。
【請求項７】
前記測定手段、前記撮影手段又は前記治療手段からの出力回数を予め設定する回数設定手段を有し、前記被検者変更検出手段は、前記測定手段、前記撮影手段又は前記治療手段を計数し、前記回数設定手段で設定された回数に達したことで、被検者の変更を検出することを特徴とする請求項４記載の眼科システム。
【請求項８】
前記眼科装置は、測定手段、撮影手段、治療手段測定結果又は前記被検者情報読込手段の出力結果を表示する表示手段を有し、前記設定変更手段は、前記表示手段の表示項目を変更することを特徴とする請求項１記載の眼科システム。
【請求項９】
前記被検者特定手段は、被検者の氏名、ＩＤナンバー又は顔写真から被検者を特定することを特徴とする請求項１記載の眼科システム。
【請求項１０】
前記被検者情報保存手段は、前記眼科装置と前記周辺機器との対応付けを記憶することを特徴とする請求項１記載の眼科システム。
【請求項１１】
前記周辺機器は、前記眼科装置を載置するテーブル、被検者が座る椅子であり、前記設定変更手段は、前記眼科装置内の被検者の顎を載せる顎台、前記テーブル又は前記椅子の高さ位置を変更することを特徴とする請求項１記載の眼科システム。
【請求項１２】
前記被検者の情報は、被検者の身長であることを特徴とする請求項１１記載の眼科システム。
【請求項１３】
前記眼科装置は、被検眼の合焦を調整する合焦調整手段を有し、前記被検者の情報は被検者の眼屈折率値であり、該眼屈折率値に基づいて、前記設定変更手段は、前記合焦調整手段の設定を変更することを特徴とする請求項１記載の眼科システム。
【請求項１４】
前記眼科装置は眼圧計であり、前記被検者の情報はパキメータによって得られた被検者の角膜厚値であり、該角膜圧値に基づいて、前記設定変更手段は、前記眼圧計が算出する眼圧値を補正することを特徴とする請求項１記載の眼科システム。
【発明の詳細な説明】
【０００１】
【発明の属する技術分野】
本発明は、眼科システムに関するものである。
【０００２】
【従来の技術】
従来の眼科装置では、被検眼の検眼結果を装置内蔵のブラウン管や液晶ディスプレーに表示し、装置に内蔵されたプリンターに印字するようになっていた。又、通信ケーブルを介して外部コンピュータにデータを転送したり、外部プリンターに直接印字するものもあった。
【０００３】
しかし、多くの使われ方としては、患者のカルテを持ち歩き、検眼結果のプリント用紙をカルテに張って記録するものであった。
【０００４】
従来から、眼屈折力測定装置、眼底カメラ、レーザーコアギュレータ等の眼科装置を使用する場合、眼科装置と被検眼の位置関係を適切な状態にすることが必要である。
【０００５】
被検者が顎を載せる顎台、被検者が座る椅子の高さ、眼科装置検査を載せるテーブルの高さが被検者によって適切な位置に調整されていないと被検者が不快になるばかりか、正確な測定値が得られなかったり、外乱光の入った眼底写真が得られたり、被検眼眼底の所望の位置にレーザー照射ができずに誤った部位を治療してしまうことがある。
【０００６】
背の高い（背の低い）被検者に合わせてテーブル、椅子等を調整した後、反対に背の高い（背の低い）被検者の調整をする場合、眼科装置の顎台、テーブル、椅子等の上下位置を見直す必要があり、調整に時間が掛かってしまうという問題があった。
【０００７】
上記問題を解決すべく、顎台に検知スイッチを設け、被検者の顎が顎台から離れたこともって測定終了とし、測定終了後に眼科装置の顎台、テーブル、椅子等を初期位置に移動する眼科装置システム、検者が被検者の身長を入力し、この入力に基づいて眼科装置の顎台、テーブル、椅子等の位置を調整する眼科装置システムが提案されている（特許文献１参照）。
【０００８】
更に、眼底カメラで被検眼の眼底を撮影する場合やレーザーコアギュレータで被検眼の治療を行う場合、被検眼の眼底に正確にピント合わせが行われていないと、適切な眼底写真が得られないばかりでなく、被検眼眼底の所望の位置にレーザー照射ができず、誤った部位を治療してしまう。
【０００９】
従来、ピント合わせ位置の初期設定は直前に検査又は治療を行った被検者の設定になっていて、検者は、その位置から、検査又は治療対象の被検者に正しく合焦する位置にピント合わせ位置を設定変更している。
【００１０】
又、眼圧測定は被検眼の緑内障と呼ばれる眼疾患の早期発見に有効な検査法であるが、近年、被検眼によって異なる角膜厚の大きさによって眼圧値が過小評価される等、眼圧値に角膜厚が影響されることが知られてきている。特に、ＬＡＳＩＫ等の角膜屈折矯正手術後の被検眼は角膜厚が大きく異なり眼圧値への補正が必要となっている。角膜厚を計測するパキメータは、超音波や光学撮影によるものが知られている。眼圧計は、接触式の眼圧計や空気を吹付けてその変形状態を光学検出して眼圧測定する非接触眼圧計が知られている。
【００１１】
【特許文献１】
特開２００１−６１７８２号公報
【特許文献２】
特開平０６−３３９４６５号公報
【特許文献３】
特開平０８−１９１７９６号公報
【特許文献４】
特開平１０−０８０３９８号公報
【特許文献５】
特開平１１−２３９５６５号公報
【発明が解決しようとする課題】
しかしながら、上記従来例では、初期位置に戻しても依然として、顎台、テーブル、椅子等の位置は調整しなければならず、平均的な身長の被検者であれば移動量は少なくて済むが、平均的でない被検者の場合には移動量は多く、依然として調整に時間が掛かってしまうという問題がある。
【００１２】
又、眼底カメラで可視、赤外蛍光撮影を行う場合には、撮影の時間が１０分〜３０分と長時間に亘って行われ、途中休憩を挟む場合がある。このとき、被検者は、一旦顎台から顎を外し、次回の撮影時間まで待機している。このような場合、顎台に検知スイッチを設けて被検者の顎が顎台から離れたことを検知し、眼科装置の顎台、テーブル、椅子等を初期位置に移動すると、撮影を再開する毎に眼科装置の顎台、テーブル、椅子等を再調整しなければならず、大変煩わしい。
【００１３】
更に、検者が被検者毎に身長を入力するのは大変煩わしく、誤って入力してしまうという問題がある。
【００１４】
被検眼のピント合わせに時間が掛かると被検眼に対して観察光を照射する時間がそれだけ長くなり、被検者は不快である。又、長時間の観察光照射によって被検者は疲労し、その影響で、適切な眼底写真が得られず、被検眼眼底の所望の位置にレーザー照射ができず、誤った部位を治療してしまうという問題がある。
【００１５】
本発明の目的は、上述課題を解決し、眼科装置の顎台、テーブル、椅子、ピント等の調整を短時間で行うことができる眼科システムを提供することにある。
【００１６】
又、角膜厚の計測を行って眼圧を補正する方法として、両者の技術を複合して装置を一体化することは技術的に可能であるが、装置が複雑になり、高価な装置になってしまう。
【００１７】
又、角膜厚を測定したい患者と眼圧測定したい患者が多い場合は、複合した装置では却って待ち時間を増やしてしまう。高価な装置を２台に購入するのであれば、既存の角膜厚測定、眼圧測定それぞれ別個の装置として検眼した方が良いというユーザーも多いと考えられる。その場合に角膜厚の情報から眼圧値を補正するには手入力では間違ったり、検者に煩わしい操作をさせてしまう。
【００１８】
従って、本発明の目的は、上記課題を解決し、既存のパキメータや眼圧計を通信情報経路に接続するだけで、正確に効率良く、しかも、眼圧値の補正が行える眼科システムを提供することにある。
【００１９】
又、角膜厚の計測を行って眼圧を補正する方法として、両者の技術を複合して装置を一体化することは技術的に可能であるが、装置が複雑になり、高価な装置になってしまう。又、角膜厚を測定したい患者と眼圧測定したい患者が多い場合は、複合した装置では却って待ち時間を増やしてしまう。高価な装置を２台に購入するのであれば、既存の角膜厚測定、眼圧測定それぞれ別個の装置として検眼した方が良いというユーザーも多いと考えられる。その場合に角膜厚の情報から眼圧値を補正するには手入力では間違ったり、検者に煩わしい操作をさせてしまう。
【００２０】
本発明の目的は、上記課題を解決し、既存のパキメータや眼圧計を通信情報経路に接続するだけで、正確に効率良く、しかも、眼圧値の補正が行える眼科システムを提供することにある。
【００２１】
【課題を解決するための手段】
上記目的を達成するため、本発明に係る眼科システムは、被検眼を測定する測定手段、被検眼を撮影する撮影手段又は被検眼を治療する治療手段を有する眼科装置と、該眼科装置と共同して作用する周辺機器と、眼科装置と別個に設けられ、複数の装置から得られた又は入力された被検者の情報を保存する被検者情報保存手段と、被検者を特定する被検者特定手段と、眼科装置又は前記周辺機器と前記被検者情報保存手段及び前記被検者特定手段のうち何れか２つの手段を結ぶ通信経路と、眼科装置又は周辺機器は、該眼科装置又は該周辺機器の何れかに一体に設けられた該眼科装置又は該周辺機器の設定を変更する設定変更手段と被検者特定手段で特定された被検者の情報を通信情報経路を介して被検者情報保存手段から読み込む被検者情報読込手段とを有し、前記設定変更手段は、前記被検者情報読込手段の出力結果に基づいて前記眼科装置又は前記周辺機器の設定を変更することを特徴とする。
【００２２】
【発明の実施の形態】
以下に本発明の実施の形態を添付図面に基づいて説明する。
【００２３】
＜実施の形態１＞
本発明を図１〜図８に図示の実施の形態に基づいて詳細に説明する。
【００２４】
図１は眼科ネットワークの構成図である。
【００２５】
本実施の形態において、眼科病院内は、眼科医が診察を行う診察室３、各種検査を行う検査室１、来診患者が受付を行い、診察を待つ受付２と、眼底撮影、レーザー治療等を行う検査治療室、患者のデータを管理する情報処理室４に分かれている。
【００２６】
検査室１には、眼圧計６、眼屈折計９等の眼科機器、患者の過去の診察結果や個別情報、被検者のオーダーリングを確認、入力できる端末装置１２が配備されている。更に、眼圧計６を載せるためのテーブル７、眼圧測定の被検者が座るための椅子８、眼屈折計９を載せるためのテーブル１０、眼屈折力測定を行う被検者が座るための椅子１１が配置されている。
【００２７】
検査治療室３には、眼底カメラ１８、レーザーコアギュレータ２１等の眼科機器、患者の過去の診察結果や個別情報、被検者のオーダーリングを確認、入力できる端末装置２４が配備されている。更に、眼底カメラ１８を載せるためのテーブル１９、眼底カメラの被検者が座るための椅子２０、レーザーコアギュレータ２１を載せるためのテーブル２２、レーザーコアギュレータ２１を行う被検者が座るための椅子２３が配置されている。
【００２８】
受付２には、来診患者の情報を管理するコンピュータ１３が配置され、コンピュータ１３では、来診患者の情報が入力されたデータに基づきコンピュータ画面上に患者の個別情報や診断内容や測定結果をまとめた電子カルテなるものを形成することができる。
【００２９】
又、眼科医が診察する診察室３は、患者の過去の診察結果や個別情報、被検者オーダーリングを確認、入力できる端末装置１４も配備されている。診療室にはこの他に眼科医自身が使用するスリットランプ１５等の眼科装置も置かれている。
【００３０】
情報処理室４には、大容量の記憶が可能なデータベースサーバー（以下、ＤＢサーバー）２５が配備されている。そして、それぞれの部屋には、イーサネットによるネットワーク２６が配置され、これら全ての機器は、ネットワークで接続されている。
【００３１】
図２は眼屈折計９の詳細なブロック図であり、ＤＢサーバー２５との通信を行い、被検者情報の読み書きを行う被検者情報読み書き部３０、各種演算を行う演算部３１、表示を行う表示部４０、被検者の顎を載せる顎台３２、演算部３１からの出力信号に基づいて顎台３３を駆動する顎台駆動手段３２で構成されている。
【００３２】
図３は眼屈折計９を載せるテーブル１０の詳細なブロック図であり、データベースサーバー２５との通信を行い、被検者情報の読み書きを行う被検者情報読み書き部３４、各種演算を行う演算部３５、演算部３５からの出力信号に基づいてテーブル１０の高さを調節するモータ３６で構成されている。
【００３３】
図４は眼屈折計９で検査をする被検者が座る椅子１１の詳細なブロック図であり、データベースサーバー２５との通信を行い、被検者情報の読み書きを行う被検者情報読み書き部３７、各種演算を行う演算部３８、演算部３８からの出力信号に基づいて椅子１１の高さを調節するモータ３９で構成されている。
【００３４】
ここで、実際の診療手順について説明する。
【００３５】
患者は、先ず、受付２で診察券等のＩＤカードで来診を申し出ると、受け付けでは初診の場合、氏名、住所、生年月日、来診の理由、既往暦等を来診者から聞き取ってコンピュータ１３に入力し、患者ＩＤの登録を行う。更に、ディジタルカメラがコンピュータ２４に接続されており、来診者の顔も画像入力できる。再診の場合でも、診察券等のＩＤカードの提出でコンピュータ１２を操作することで、すぐに過去の情報にリンクすることができるようになっている。
【００３６】
次に、診察室３で医師の診察を受けて、必要な検査項目がオーダーリングされ、コンピュータ１２，２４上の画面上に表示される。図５に、その画面の一例を示す。
【００３７】
コンピュータ１２，２４上の画面では、検査室１及び検査治療室５内の各眼科装置は、現在どの患者が検査、治療中であるか、検査、治療待ちの患者がどの位いるかを把握できるようになっている。
【００３８】
画面９０に並べられた数値は患者ＩＤであり、上から順番に検査待ちの患者を示す。一番上の反転表示された患者ＩＤ９１ａ，９１ｂ，９１ｃ，９１ｄは、現在検査中又は治療中を示す。
【００３９】
患者ＩＤがこの画面に入り切らなければ、複数のウィンドウ画面を使っての表示もできるようになっている。この表示は一例であって、患者ＩＤと一緒に患者名を併記したり、患者ＩＤをクリックすると患者情報が新しいウィンドウで表示されるようになっていても良い。
【００４０】
検査、撮影、治療を次に行う患者ＩＤは、カーソル９２で選択できるようになっており、カーソル９２の移動は、図示しないマウス、キーボード、タッチパネル等で行えるようになっている。
【００４１】
更に、他の機能として、各種眼科装置の装置の故障を示すエラー信号がネットワーク通信を介して得られると警告表示が受付けのコンピュータ１３に表示できるようになっている。
【００４２】
眼屈折計９で患者を測定する例について説明する。
【００４３】
眼屈折計演算部３１、テーブル演算部３５、椅子演算部３８とＤＢサーバー２５の動作を示すフローチャートを図７に示す。尚、テーブル演算部３５と椅子演算部３８は同様な動作を行うため、１つのフローチャートに記載している。
【００４４】
図８に表示部４０での表示例を示す。
【００４５】
ステップＳ０で、実際に検査又は治療を行う医師や技師は、コンピュータ１２上に表示された眼屈折計検査待ちの患者ＩＤの中から、次に検査を行う被検者の患者ＩＤ０２７１４０をカーソル９２でクリックする。眼屈折計９では、表示部４０に図８（ａ）に示すようなの画面表示が行われ、検査中の被検者、検査待ちの被検者を確認できるようになっていて、次に検査を行う被検者の患者ＩＤ０２７１４０は、表示部４０の画面上のカーソル１００でクリックしても良い。
【００４６】
眼屈折計演算部３１は、ステップＳ１で、測定が終了した被検者の患者ＩＤ０３３１５０に対応づけて測定値、被検者情報を被検者情報読み書き手段３０を通じてデータベースサーバー２５に書き込み要求を送信する。
【００４７】
又、テーブル演算部３５、椅子演算部３６は、ステップＳ２１で、測定が終了した被検者の患者ＩＤ０３３１５０に対応づけて、椅子の高さ、テーブルの高さを被検者情報読み書き手段３４，３７を通じてデータベースサーバー２５に書き込み要求を送信する。
【００４８】
これを受けてＤＢサーバー２５は、ステップＳ１０で、患者ＩＤ０３３１５０に対応づけて測定値、被検者情報、椅子の高さ、テーブルの高さをデーベースに保存する。
【００４９】
更に、眼屈折計演算部３１は、ステップＳ２で、ステップＳ０で選択された患者ＩＤ０２７１４０をデータベースサーバー２５に送信し、被検者情報の取得要求を行う。
【００５０】
これを受けてＤＢサーバー２５は、ステップＳ１１で被検者の患者ＩＤ０２７１４０の検索を行い、ステップＳ１２で、患者ＩＤ０２７１４０とリンクする被検者情報を呼び出し、眼屈折計９、テーブル１０、椅子１１に送信する。
【００５１】
眼屈折計演算部３１は、ステップＳ３で、ＤＢサーバー２５から送信された被検者情報を被検者情報読み込み手段３０を通じて読み込み、ステップＳ４で被検者の個人情報及び過去の測定結果を図８（ｂ）〜（ｅ）に示すような内容で、表示部４０に表示する。
【００５２】
図８（ｂ），（ｃ）に示す表示部４０の表示画面は、患者ＩＤ０２７１４０の被検者の例で、初診の患者の例である。又、図８（ｄ），（ｅ）に示す表示部４０の表示画面は、患者ＩＤ０３０９５８の被検者の例で、再診の患者の例である。
【００５３】
図８（ａ）の画面上で患者ＩＤをカーソル１００クリックすると、図８（ｂ），（ｄ）に示す被検者の個人情報及び過去の測定結果を示す画面に遷移し、設定条件スイッチ１０１をクリックすると図８（ｃ），（ｄ）に示す眼屈折計９の機器設定画面に遷移する。
【００５４】
更に、図８（ｂ）〜（ｅ）に示す画面上で測定画面スイッチ１０８をクリックすると不図示の測定画面に遷移する。
【００５５】
又、テーブル演算部３５、椅子演算部３６は、ステップＳ２３で、ＤＢサーバー２５から送信された被検者情報のうち身長、前回検査時のテーブル（椅子）の高さ情報をそれぞれ被検者情報読み込み手段３４，３７を通じて読み込む。
【００５６】
次に、眼屈折計演算部３１の制御は、眼屈折計９での過去の検査歴の有無によって処理が異なる。ステップＳ５で、屈折計９で過去に測定したことがないと判断した場合には、ステップＳ７へ進み、ステップＳ３で取得した被検者情報のうち身長データを選択し、ステップＳ８で顎台駆動手段３２へ出力する。顎台駆動手段３２は、この身長データを基に顎台３３の高さを変更する。
【００５７】
ステップＳ５で屈折計９で過去に測定したことがあると判断した場合には、ステップＳ６へ進み、ステップＳ３で取得した前回検査時の顎台の高さ情報を選択し、ステップＳ８で顎台駆動手段３２へ出力する。顎台駆動手段３２は、前回検査時の顎台の高さ情報を基に顎台３３の高さを変更する。
【００５８】
同様に、テーブル演算部３５、椅子演算部３６は、ステップＳ２２で、前回検査時のテーブル１０、椅子１１の高さ情報の有無を判断し、テーブル１０、椅子１１の高さ情報がないと判断した場合にはステップＳ２３へ進み、ステップＳ２１で取得した被検者情報のうち身長データを選択し、この身長データを基にそれぞれモータ３６、モータ３９を駆動して、それぞれテーブル１０、椅子１１の高さを変更する。
【００５９】
ステップＳ２２で、前回検査時のテーブル１０、椅子１１の高さ情報があると判断した場合にはステップＳ２４へ進み、ステップＳ２１で取得した前回検査時のテーブル１０、椅子１１の高さ情報を選択し、ステップＳ２５でそれぞれモータ３６、モータ３９を駆動して、それぞれ前回検査時のテーブル１０、椅子１１の高さに変更する。
【００６０】
図６にテーブルの高さＴ１、椅子の高さＴ２、顎台３３の高さＴ３の関係を示す。
【００６１】
眼屈折計９の摺動位置及び高さ調整を電動とし、図８（ｅ）に示す眼屈折計の摺動位置及び高さを表す測定位置データ１０９のｘ，ｙ，ｚを用いて左右眼毎に自動的に調整を行っても良い。
【００６２】
本実施の形態においては、図７のフローチャートに示すように、ステップＳ０で、実際に検査又は治療を行う医師や技師は、コンピュータ１２上に表示された眼屈折計検査待ちの患者ＩＤの中から、次に検査を行う被検者の患者ＩＤをカーソル９２でクリックするか、眼屈折計９内に設けられた表示部４０の表示画面上で、次に検査を行う被検者の患者ＩＤをカーソル１００でクリックし、それを受けて、眼屈折計演算部３１は、ステップＳ１で、測定が終了した被検者の患者ＩＤ０３３１５０に対応づけて測定値、被検者情報を被検者情報読み書き手段３０を通じてデータベースサーバー２５に書き込み要求を送信するようにしている。
【００６３】
他の実施の形態として、眼屈折計９内に、図１２に示すようなスイッチパネル４０を設け、スイッチパネル４０内には、数値の入力を行うテンキー４４、スイッチパネル４０内には、不図示のプリンターに検査結果を出力するためのプリントスイッチ４１、測定を開始する測定開始スイッチ４２、テンキー４４で入力された数字を設定する設定スイッチ４３、測定の終了を入力する測定終了スイッチ４５を設ける構成にする。
【００６４】
例えば、不図示のプリンターでの出力が必要なユーザーの場合には、測定終了後に操作されるプリントスイッチ４１の入力を受けて、測定が終了した被検者の患者ＩＤ０３３１５０に対応づけて測定値、被検者情報を被検者情報読み書き手段３０を通じてデータベースサーバー２５に書き込み要求を送信しても良い。
【００６５】
又、測定回数を予めテンキー４４で入力し、設定スイッチ４３で設定しておいて、設定された測定回数に達すると測定を自動的に終了し、このタイミングで、測定が終了した被検者の患者ＩＤ０３３１５０に対応づけて測定値、被検者情報を被検者情報読み書き手段３０を通じてデータベースサーバー２５に書き込み要求を送信しても良い。
【００６６】
測定終了スイッチ４５の入力によって、測定の終了を検知し、これを受けて、測定が終了した被検者の患者ＩＤ０３３１５０に対応づけて測定値、被検者情報を被検者情報読み書き手段３０を通じてデータベースサーバー２５に書き込み要求を送信しても良い。
【００６７】
又、本実施の形態では、眼屈折計９に応用した例を説明したが、眼圧計６、テーブル７、椅子８の組み合わせ、眼底カメラ１８、テーブル１９、椅子２０の組み合わせ、スリットランプ１５、テーブル１６、椅子１７の組み合わせ、レーザーコアギュレータ２１、テーブル２２、椅子２３の組み合わせにも適応でき、本実施の形態に記載していない視野計等の眼科装置とテーブル、椅子の組み合わせにも適応が可能である。
【００６８】
又、本実施の形態では、コンピュータ１２上に表示された眼屈折計検査待ちの患者Ｉの中から、カーソル９２でクリックするか、眼屈折計９内に設けられた表示部４０の表示画面上でカーソル１００でクリックし、患者ＩＤの選択を行っているが、テンキー４４で直接入力し、設定スイッチ４３で設定しても良い。又、被検者の顔を確認して、図９（ｂ），（ｄ）に示すような顔写真１１０をクリックして、患者ＩＤを選択しても良い。
【００６９】
＜実施の形態２＞
図９は本実施の形態における眼底カメラ１８の構成図を示し、観察用光源５１から対物レンズ５２に至る光路上には、コンデンサレンズ５３、撮影用光源５４、ミラー５５、リング状の開口を有する絞り６１、リレーレンズ５６、孔あきミラー５７が順次に配列され、眼底照明光学系を構成する。孔あきミラー５７の透過方向の光路上には、合焦レンズ５８、撮影レンズ５９、フィルムカメラ６０が配列され、眼底撮影光学系を構成している。
【００７０】
フィルムカメラ６０は、銀塩のアナログカメラ、ＣＣＤ等で撮像するディジタルカメラ、アナログビデオカメラである。
【００７１】
更に、合焦レンズ５８には、合焦レンズ駆動手段６２、眼底カメラ演算部６３、被検者情報読み書き手段６４が順次接続され、被検者情報読み書き手段６４は、ネットワーク２６に接続されている。
【００７２】
眼底カメラ演算部６３とＤＢサーバー２５の動作を示すフローチャートを図１０に示す。
【００７３】
ステップＳ３０で、実際に検査又は治療を行う医師や技師は、図５に示すコンピュータ２４上に表示された眼底カメラ撮影待ちの患者ＩＤの中から、次に検査を行う被検者の患者ＩＤ０００３２５をカーソル９２でクリックする。
【００７４】
眼底カメラ演算部６３は、ステップＳ３１で、測定が終了した被検者の患者ＩＤ０００６５４に対応づけて被検者情報を被検者情報読み書き手段６４を通じてデータベースサーバー２５に書き込み要求を送信する。
【００７５】
これを受けてＤＢサーバー２５は、ステップＳ４０で、患者ＩＤ０３３１５０に対応づけて被検者情報をデーベースに保存する。
【００７６】
更に、眼底カメラ演算部６３は、ステップＳ３２で、ステップＳ３０で選択された患者ＩＤ０００３２５をデータベースサーバー２５に送信し、被検者情報の取得要求を行う。
【００７７】
これを受けてＤＢサーバー２５は、ステップＳ４１で被検者の患者ＩＤ０００３２５の検索を行い、ステップＳ４２で、患者ＩＤ０００３２５とリンクする被検者情報を呼び出し、眼底カメラ１８に送信する。
【００７８】
眼底カメラ演算部６３は、ステップＳ３３で、ＤＢサーバー２５から送信された被検者情報を被検者情報読み込み手段６４を通じて読み込む。
【００７９】
次に、眼底カメラ演算部６３の制御は、眼屈折計９での過去の検査歴の有無によって処理が異なる。ステップＳ３４で、屈折計９で過去に測定したことがないと判断した場合には、ステップＳ３７へ進み、設定を終了する。ステップＳ３４で、屈折計９で過去に測定したことがあると判断した場合には、ステップＳ３５へ進み、ステップＳ３３で読み込んだ被検者情報の眼屈折計９での測定値を選択し、ステップＳ３６で合焦レンズ駆動手段６２へ合焦レンズ８の初期位置を出力する。
【００８０】
合焦レンズ駆動手段６２は、眼屈折計９での測定値に基づいて被検眼眼底Ｅｒにピントが合うように合焦レンズ８を駆動しする。尚、眼屈折計９での測定値は左右眼両方の測定値をＤＢサーバー２５から読み取ることができるので、例えば、初めは右眼（左眼）を撮影し、次に左眼（右眼）を撮影する場合、右眼（左眼）から左眼（右眼）への変更は、ステージの位置を検知することによって可能であるため、左右眼が変更された初めの１回のみ同様に初期位置を設定可能である。
【００８１】
＜実施の形態３＞
パキメータからの角膜厚情報を基に眼圧値を補正する例を説明する。
【００８２】
次に、パキメータから角膜厚情報を得て眼圧を補正する具体例を説明する。
【００８３】
図１２は図１の変形図であり、ネットワーク２６に眼屈折計９、眼屈折計９を載せるためのテーブル１０、眼屈折力測定を行う被検者が座るための椅子１１の代わりに、パキメータ２７、パキメータ２７を載せるためのテーブル２８、パキメータ２７で測定を行う被検者が座るための椅子２９が接続されている。
【００８４】
パキメータ２７は、被検眼角膜の頂点に視軸と方向に接触プローブを当て被検眼の角膜厚さを超音波による計測するタイプや対物鏡筒を近付け非接触で光学検出して計測するタイプがある。本実施の形態におけるパキメータの計測原理はどちらでも良く、計測されたデータをネットワーク２６に送信されるネットワークドライバを内蔵若しくは外付けで接続されているものである。
【００８５】
計測された角膜厚のデータは、送信操作でＤＢサーバー２５に送られる。送られたデータは、ＤＢサーバー２５内の眼圧補正テーブルにより標準角膜厚に対する補正量が計算される。眼圧補正テーブルは、真の眼圧値と角膜厚を経験データの基づき相関関係が確立されており、そのデータから求められた回帰方程式を使って、パキメータ２７で計測された角膜厚に対する真の眼圧値への補正量を算出するものである。
【００８６】
被検眼の角膜は角膜疾患や屈折矯正手術を行わなければ、成人の場合は経時変化はなく、従って、眼圧補正値は、角膜厚値がＤＢサーバー２５に送られるたびに計算され、角膜厚データと一緒の領域に格納されるか、眼圧補正値の領域が確保され角膜厚データが変わるたびに、補正値が更新されるようにＤＢサーバー２５で制御されている。更に、患者ＩＤとリンクしたデータになっている。
【００８７】
本実施の形態で眼圧測定を行う場合、眼屈折計９を眼圧計６に変更しただけで実施の形態１で説明したのと同様なフローで制御されるので詳細な説明は省略するが、眼圧計６からの被検者の情報を呼び出す指令に基づいてＤＢサーバー２５では患者ＩＤとリンクする患者データにこの眼圧補正値も含まれており、他の患者情報と一緒に呼び出され、ファイルにまとめられ、眼圧計６に送信される。
【００８８】
一次メモリに格納された眼圧補正値は、新たに眼圧測定されるたびに、補正値を付加して眼圧計の結果表示ディスプレーに表示されたり、プリンターに印字されたり、又、眼科医が閲覧する端末装置１４に送信されるようになっている。表示の仕方は、真の眼圧値を表示させたり、眼圧補正値を併記して表示したり、選択できるように眼圧計６で設定できるようになっている。又、眼科医が閲覧するアプリケーションの設定で選択できるようにもなっている。
【００８９】
【発明の効果】
以上説明したように、本発明によれば、複数の眼科装置がネットワークで接続され、被検者の情報がデータベースで一元管理され、被検者の情報を各眼科装置が読み書きを行い、被検者の情報に応じて眼科装置の設定を変更するため、以下のような効果が得られる。
【００９０】
１．眼科診療では、眼科検査室での眼科装置の操作者（検者）は医師、看護婦や検眼士であり、検者は通常カルテを持ち、来診者を眼科医の問診まえに被検者の名前を呼んで順次検査するようになっている。従って、カルテを持ち歩くので眼科装置を扱う時は逐次どこかにカルテを置いたり、場合によっては脇に挟んで操作したり不便である。しかし、カルテが無いと被検者が誰か分からなくなる。更に、被検者の名前しか分からない場合は大声で呼ばなければならない。このような悪循環を改善できることになる。被検者の顔が分かっていると被検者が検査室に来ているかどうかすぐに判断できる。又、過去のデータが参照できるので、被検者の状態の変化がすぐに把握できる。装置の設定が被検者毎に管理できるので、検眼直前に別の被検者の設定に対して直し忘れを回避し、再設定する手間を省略でき便利である。
【００９１】
２．被検者の身長情報、前回の設定値をネットワーク経由でデータベースサーバーから読み込み、初めて検査、治療する患者の場合は被検者の身長情報を基に、又、検査、治療が２回目以降の患者の場合には前回の設定値を基に、眼科装置の顎台の高さ、眼科装置を載せるテーブルの高さ、被検者が座る椅子の高さを自動的に位置調整するため、検者の負担を軽減でき、被検者の検査、治療時間を短縮できる。
【００９２】
３．眼屈折計で測定した被検眼に眼屈折値、前回の設定値をネットワーク経由でデータベースサーバーから読み込み、初めて検査、治療する患者の場合は眼屈値を基に、又、検査、治療が２回目以降の患者の場合には前回の設定値を基に、眼科装置のピント合わせの初期設定を行うために、ピント合わせに要する時間を短縮することができ、検者の負担を軽減できる。
【００９３】
４．角膜厚の計測値をネットワーク経由でデータベースサーバーから読み込み、眼圧値を簡単に補正できるので、手入力での入力ミスを回避でき、検者の負担を軽減できる。正確に効率良く眼圧値の補正が行え、緑内障診療な眼科システムを提供できる。
【図面の簡単な説明】
【図１】本発明の実施の形態１の構成図である。
【図２】本発明の実施の形態１における眼屈折計の詳細なブロック図である。
【図３】本発明の実施の形態１における眼屈折計を載せるテーブルの詳細なブロック図である。
【図４】本発明の実施の形態１における眼屈折計で検査をする被検者が座る椅子の詳細なブロック図である。
【図５】コンピュータの画面上に表示される表示例を示す図である。
【図６】本発明の実施の形態１における眼屈折計とテーブル及び椅子の位置関係を示す図である。
【図７】本発明の実施の形態１における眼屈折計演算部、テーブル演算部、椅子演算部及びＤＢサーバーの動作を示すフローチャートである。
【図８】本発明の実施の形態１における眼屈折計内の表示部４０での表示例を示す図である。
【図９】本発明の実施の形態２の構成図である。
【図１０】本発明の実施の形態２における眼底カメラとＤＢサーバーの動作を示すフローチャートである。
【図１１】本発明の実施の形態３の構成図である。
【図１２】本発明の実施の形態１における眼屈折計内のスイッチパネルを示す図である。
【符号の説明】
１        検査室
２        受付
３        診察室
４        情報処理室
５        検査治療室
６        眼圧計
７        テーブル
８        椅子
９        眼屈折計
１０      テーブル
１１      椅子
１２      コンピュータ
１３      コンピュータ
１４      コンピュータ
１５      スリットランプ
１６      テーブル
１７      椅子
１８      眼底カメラ
１９      テーブル
２０      椅子
２１      レーザーコアギュレータ
２２      テーブル
２３      椅子
２４      コンピュータ
２４      データベースサーバー
２５      ネットワーク
２７      パキメータ
２８      テーブル
２９      椅子
５１      観察用光源
５２      対物レンズ
５３      コンデンサレンズ
５４      撮影用光源
５５      ミラー
５６      リレーレンズ
５７      孔あきミラー
５８      合焦レンズ
５９      撮影レンズ
６０      フィルムカメラ
６１      リング状の開口を有する絞り
６２      合焦レンズ駆動手段
６３      眼底カメラ演算部
６４      被検者情報読み書き手段
９０      画面
９１ａ〜９１ｄ  反転表示された患者ＩＤ
９２      カーソル
Ｅ        被検眼
Ｅｐ      瞳孔
Ｅｒ      被検眼眼底
【図１】
2005013472.tif 000003
【図２】
2005013472.tif 000004
【図３】
2005013472.tif 000005
【図４】
2005013472.tif 000006
【図５】
2005013472.tif 000007
【図６】
2005013472.tif 000008
【図７】
2005013472.tif 000009
【図８】
2005013472.tif 000010
【図９】
2005013472.tif 000011
【図１０】
2005013472.tif 000012
【図１１】
2005013472.tif 000013
【図１２】
2005013472.tif 000014